(57)【要約】【課題】酸素タンクなどから成る酸素供給装置から酸素の供給を受ける着用者などに該着用者の鼻孔を通じて供給するのに用いられる鼻孔カニューラ装置は、着用者の耳たぶが顔の方向に折れ曲がると、該耳たぶにかけている状態で装着しているカニューラ装置は容易に外れてしまう。着用者が眠っているときまたは意識が薄れている場合では、このままの状態で鼻孔からの酸素などの供給ができなくなり生命の危険が生じることとなる。【解決手段】カニューラ装置のチューブ部材に可撓性材料で構成された紐状部材を取り付けることが出来る接続部材を設け、該紐状部材が後頭部を回って左右の接続部材を結合した状態となしたカニューラ補助装置は、着用者が横向きに寝て、耳たぶが顔の方向に折れ曲がっても該耳たぶにかけている状態で装着しているカニューラは紐状部材が後頭部を回って反対側の耳たぶ付近に接続部材に結合した状態としているので容易に外れることはない。【選択図】図１
2018202073.tif 000002
【特許請求の範囲】
【請求項１】
鼻孔用カニューラ装置は着用者が鼻孔部から気体を吸入する吸入部を設け、該吸入部から左右に伸びたチューブ部材が左右の耳に掛かり着用者の顎の下で２本のチューブ部材はリングによって束ねられた状態で安全に装着される如く構成されている。また、チューブ部材が左右の耳に掛かる部分近傍に可撓性材料で構成された紐状部材を取り付けるべき第１の溝部とチューブ部材を取り付けるべき第２の溝部を有する板状の接続部材を設け、該紐状部材が着用者の後頭部を回って左右の接続部材に固定された状態となしたことを特徴とする鼻孔用カニューラ補助装置
【発明の詳細な説明】
【技術分野】
【０００１】
本発明は酸素などの気体を人体に供給するためのカニューラ装置に関するものであり、特に気体をカニューラ着用者の鼻孔に供給する気体供給用のチューブ部材を有するカニューラ本体と該カニューラ本体を着用者の鼻孔に確実に保持するための位置決め部材を有する鼻孔用カニューラ補助装置に関するものである。
【背景技術】
【０００２】
酸素タンクなどから成る酸素供給装置から酸素などの気体の供給を受ける着用者などに該着用者の鼻孔を通じて該気体を供給するのに用いられる鼻孔用カニューラ装置は、下記特許文献１に開示されているようにその形状は一般に知られている。しかし、着用者が横向きに寝て耳が枕に接している状態で、後頭部の方向に位置がずれて耳たぶが顔の方向に折れ曲がると、該耳たぶにかけている状態で装着しているカニューラは容易に外れてしまう。着用者が眠っているとき、または意識が薄れている場合では、このままの状態で鼻孔からの酸素などの供給ができなくなり生命の危険が生じることとなる。このような危険があるにもかかわらず鼻孔用カニューラを装着する時点ではそのような危険性について充分な説明がなされているとは云い難い状態が少なくない。又特許文献２、３、４に示す如く上記の欠点を改善すべき対策も開示されている。
【０００３】
しかし特許文献２に示すものは鉢巻状のカニューラ保持具にカニューラ本体を着用者の鼻の両側を通して固定するものであり、カニューラのチューブ自体が着用者の視線を遮るものとなっており着用者の装着感は、かなりうっとうしいものとなる。特許文献３及び４は頭頂部に配置したキャップ状または平板状の結合部にカニューラの一部を紐状の部材で結合するものであり、構造及び装着も操作が複雑になり正規に装着しなければカニューラの外れ防止効果が有効に働かないなどの欠点がある。更にカニューラ自体を構成する材料とは異なる材料を用いるために製品としての生産性を損ないコストアップの要因となる。コストは着用者の生命に替わる課題ではないが結果的に着用者にその負担を強いることとなる。
【先行技術文献】
【特許文献】
【０００４】
【特許文献１】特開第２００３−３８６４７公報
【特許文献２】特許公報第４１８８１３３号公報
【特許文献３】実用新案公報第３１４４８４３号公報
【特許文献４】特開２００６−６１５２８公報
【発明の概要】
【発明が解決しようとする課題】
【０００５】
本発明の課題は現在使用されている鼻孔用カニューラの利便性および装着感を損なわずに、簡単な構造で確実な外れ防止機能を付加することのできるカニューラ補助装置を提供するものである。素材自体もカニューラと同種の合成樹脂を使用することができるものであり、製造上の煩わしさもなく実用性の優れた鼻孔用カニューラ補助装置を提供するものである。
【課題を解決するための手段】
【０００６】
本発明は上記課題を解決するための合理的な技術であり、その第１の手段は
鼻孔用カニューラ補助装置本体のカニューラチューブが着用者の左右の耳に掛かる部分近傍に平板状の接続部材を取り付け、該接続部材には左右２か所に、入り口が広く途中が狭い溝部が形成され該溝部が直角にまがった奥に円形状の広がり部を有する如く形成された第１の溝部を一対設け、該第１の溝部に可撓性の材料で形成された紐状部材の一端を該接続部材の左側裏面から表面―表面から右側裏面へと通すことで取り付ける。紐状部材の他端を着用者の反対側の耳に係る付近で他の接続部材に同様な方法で取り付け、該紐部材を着用者の後頭部を回した状態とする。このことでカニューラは図１、図２、図３に示す如く着用者の所定の位置にしっかりと固定され、枕と耳のこすれなどで不用意に外れるのを防止することが出来る。水泳用のゴーグルの取り付けと同様とみなせば理解し易いが、水泳用ゴーグルの様に強く締め付ける必要はないので着用者の負担を強いるものではない。
【０００７】
その第２の手段は、上記の接続部材の左右に形成した第１の溝部の奥に更に第２の溝部を形成し、カニューラチューブに対しても接続部材の着脱を可能としたものである。第２の溝部は第１の溝部と共通の入り口を持ち第１の直角にまがった溝の角を分岐させさらに奥に第２の折れ曲がり溝を設け、該折れ曲がり溝の奥に円形状の広がり部を有する第２の溝部とする。カニューラチューブが内部の流体通路を極端にせばめない範囲で通過可能な広がり部を設けている。この第２の溝部にカニューラチューブを接続部材の左側裏面から表面―表面から右側裏面へと通すことで接続部材を取り付ける。このようにすることによってカニューラ装置自体は従来のものと変わらないまま希望する位置に紐部材を取り付けることが出来る。従って保持機能のない従来のカニューラ装置を安全性の高い保持機能付きの装置とする為のカニューラ補助装置を提供するものである。この構造における第２の溝部は該接続部材自体が従来のカニューラ装置のカニューラチューブから外れることによる事故をも最大限に防止するためのものである。
【発明の効果】
【０００８】
カニューラ装置のチューブ部材の左右の耳に掛かる接続部材を取り付け、該接続部材の第１の溝部を介して可撓性材料で構成された紐状部材を取り付け、該紐状部材が後頭部を回って左右の接続部材に取り付けた如く為したカニューラ装置は、着用者が横向きに寝て耳が枕に接している状態で後頭部の方向に位置がずれ、耳たぶが顔の方向に折れ曲がっても、該耳たぶにかけている状態で装着しているカニューラは紐状部材が後頭部を回って反対側の耳たぶ付近に接続部材を通した状態で結合しているので容易に外れることはない。着用者が姿勢を変えて耳たぶが枕から離れればカニューラの着用者に対する装着状態は本来の状態のままで鼻孔部から酸素などの吸引が妨げられるごとき不具合が生じることはない。
【０００９】
本発明の第２の手段は、接続部材を該カニューラチューブに対して着脱可能に取り付けたことにある。その効果はカニューラ自体には変更がないため従来のカニューラ装置に接続部材及び紐状部材を追加するだけで外れ事故を防止する機能を付加することができる。
また、カニューラ装置自体は形状変更などが不要であるため、新たなモールド型などの製造設備製造する必要がない。可撓性材料で構成された紐状部材は既成のものを切断するだけで良く接続部材はプレス加工または小さな樹脂成型による成形加工で製作可能なため低コストであり、着用者に大きな負担を掛けるものではない。
【図面の簡単な説明】
【００１０】
【図１】図１は、本発明のカニューラ装置の１実施例の構造を示す側面図である。
【図２】図２は、本発明のカニューラ装置の１実施例の構造を示す正面図である。
【図３】図３は、本発明のカニューラ装置の１実施例の構造を示す上面図である。
【図４】図４は、本発明のカニューラ装置の１実施例の構造を示す部分平面図である。
【図５】図５は、本発明のカニューラ装置の１実施例の構造を示す部分断面図である。
【図６】図６は、本発明のカニューラ装置の１実施例の構造を示す部分断面図である。
【発明を実施するための形態】
【実施例】
【００１１】
図１は、本発明の鼻孔用カニューラ装置の１実施例の装着状態を示す側面図、図２は、本発明の鼻孔用カニューラ装置の１実施例の装着状態を示す側面図である、図３は、本発明の鼻孔用カニューラ装置の１実施例の装着状態を示す上面図である。
図１、図２及び図３において、鼻孔用カニューラ装置１は着用者Ａが鼻孔部Ｂから気体を吸入する吸入部２を設け、該吸入部２から左右に伸びたチューブ部材３が左右の耳Ｃに掛かり着用者Ａの顎の下で２本のチューブ部材３はリング４によって束ねられた状態で安全に装着される如く構成されている。
【００１２】
また、チューブ部材３が左右の耳Ｃに掛かる部分近傍に第１の溝部６と第２の溝部８を備えた接続部材７が配置されている。図４は接続部材７の形状を示す部分平面図である。図５は接続部材７とチューブ部材３の取り付け状態を示す図４に於けるＱ−Ｑ断面図である。接続部材７は平板上の樹脂材料で製作が可能である。図６は紐状部材５と接続部材７との接続状態を示す接続部材７のＰ−Ｐ断面図である。接続部材７のチューブ部材３への取り付け状態は図５に示す如く第２の溝部８にチューブ部材３を左側裏面から表面―表面から右側裏面へと通すことで任意に位置調整が可能な状態で固定できる。又。チューブ部材３の内径が変形して気体の流れに支障がないように切欠き部の形状寸法を決定している。また、接続部材７の紐状部材５への取り付け状態は図６に示す如く第１の切欠き部６に紐状部材５を左側裏面から表面―表面から右側裏面へと通すことで任意に位置調整が可能な状態で固定できる。上記のごとく左右の耳Ｃに掛かる部分近傍においてチューブ部材３に紐状部材５を位置調整が可能な状態で固定したカニューラ装置１は、該紐状部材５着用者の後頭部Ｄを回って左右の接続部材７を介してチューブ部材３に固定した状態となしているので、着用者Ａが横向きに寝て耳Ｃが枕に接している状態で、後頭部Ｄの方向に頭部の位置がずれ、耳たぶが顔の方向に折れ曲がっても後頭部を回って反対側の耳たぶ付近に接続部材７を介した状態で結合しているのでチューブ部材３は容易に外れることはない。
【００１３】
着用者が姿勢を変えて耳たぶが枕から離れればカニューラのチューブ部材３の着用者に対する装着状態は本来の状態のままで鼻孔から酸素などの吸引が妨げられるごとき不具合が生じることはない。本来この鼻孔用カニューラ装置は着用者の命を守る大切な装置であり、もし外れれば着用者は呼吸不全となり死亡事故につながる可能性が高いものであるが、その構造及び着用操作が簡単であるために着用者及び看護担当者にそのことが充分に知られていない。特に床擦れ防止の目的で着用者の意識と無関係に左右に傾く方式の危険なベッド（マット装置）を使用する場合があるが、この場合には特にカニューラが外れる危険性が高い。しかもベッドメーカー及び看護サービス会社はその危険性に関して着用者及び看護担当者に特別充分に伝えていない。このような場合には事故が起きた時の責任の所在があいまいのままにされる。本来どちらかが責任を問われるべきである。一日も早い改善が望まれている。本明細書においてカニューラ装置と記載したものは鼻孔用カニューラ装置を示すものとしてよい。
［効果］
【００１４】
本発明の効果は上記説明によって明らかな如く軽い気持ちが重大な死亡事故につながる現状を改善することが出来ることで医療上の効果は極めて大きい。その上従来の鼻孔用カニューラ装置をそのまま利用して極めて安価な部材の取り付けだけですぐにでも実施可能であることは改善に時間を要しない点で即時実施可能な極めて大きな事故防止効果を有するものである。
［作用］
【００１５】
上記実施形態に示す本発明の鼻孔用カニューラ装置の作用について説明する。チューブ部材３の左右の耳Ｃに掛かる部分近傍に合成樹脂などで構成された板状の接続部材７を介して位置修正が可能に固定した紐状部材５が着用者Ａの後頭部Ｄを回って接続された状態となしたカニューラ装置１は着用者Ａが横を向いた状態で頭部が動いてもカニューラ装置１の吸入部２が使用者Ａの鼻孔部Ｂから吸入部２がずれて酸素などの気体の吸入状態が損なわれることを防止することができる。また、接続部材７を該チューブ部材３に対して着脱可能に取り付けたことにより従来のカニューラ装置の形状をそのまま使用することが出来、新たに成形型などの製造設備を作りなおす必要がないので容易に実施することができる。
【産業上の利用可能性】
【００１６】
以上の説明で明らかなごとく本発明のカニューラ装置は着用者の死亡事故にもつながる鼻孔カニューラ装置の不慮の外れ事故を極めて簡単な構造で防止し、着用者の安全性を向上することが出来、実施が容易な鼻孔用カニューラ補助装置を提供するものであり、その医療機器産業上の利用効果は極めて著しい。
【符号の説明】
【００１７】
１    鼻孔用カニューラ装置
２    吸入部
３    チューブ部材
４    リング
５    紐状部材
６    第１の溝部
７    接続部材
８    第２の溝部
Ａ    着用者
Ｂ    鼻孔
Ｃ    耳
Ｄ    後頭部
【図１】
2018202073.tif 000003
【図２】
2018202073.tif 000004
【図３】
2018202073.tif 000005
【図４】
2018202073.tif 000006
【図５】
2018202073.tif 000007
【図６】
2018202073.tif 000008